(57)【要約】【課題】  回動操作中のアクチュエータの脱落を防止する。コンタクトのハンダ付け部がボディの背面側へ突出する場合も異物付着による短絡の危険性を取り除く。【解決手段】  フレキシブル基板の端部が正面側から挿入されるように構成されたボディ１０に、アクチュエータ２０を回動可能に組み合わせる。ボディ１０は、挿入された基板端部の端子部に接触する複数のコンタクト３０，４０を並列させて保持する。アクチュエータ２０は、ボディ１０内の複数のコンタクト３０，４０に対応する複数のカム部２１を有しており、開状態から閉状態への回動により、挿入された基板端部を複数のカム部２１で押圧する。コンタクト３０は、基板端部の端子部に圧接する接点部３２と共に、アクチュエータ２０に形成された軸部を係合保持する鉤状のフック部３３を有し、且つ閉状態へ回動したときにボディの背面側を覆うカバー部２２を有する。【選択図】  図３
2006236720.tif 000002
【特許請求の範囲】
【請求項１】
フレキシブル基板の端部が正面側から挿入されるように構成されており、挿入された基板端部に設けられた複数の端子部に各接触する複数のコンタクトを並列させて保持するボディと、該ボディに回動可能に組み合わされると共に、ボディ内の複数のコンタクトに対応する複数のカム部を有しており、開状態から閉状態への回動により、挿入された基板端部を前記複数のカム部で押圧して、基板端部の端子部を対応するコンタクトに接触させるアクチュエータとを備えており、複数のコンタクトは、基板端部の端子部に圧接する接点部と共に、前記アクチュエータに形成された軸部を係合保持する鉤状のフック部を有しており、前記フック部はアクチュエータの正面側への移動を阻止するべく前記カム部に正面側から係合し、前記ボディはアクチュエータの背面側への移動が阻止されるように前記カム部に背面側から当接する制止部を有することを特徴とするフレキシブル基板用コネクタ。
【請求項２】
前記軸部は隣接するカム部の間に形成されている請求項１に記載のフレキシブル基板用コネクタ。
【請求項３】
前記コンタクトは、正面側から挿入された基板端部の下側に接点部が位置すると共に、上側にフック部が位置し、接点部及びフック部が基部で連結一体化されている請求項１に記載のフレキシブル基板用コネクタ。
【請求項４】
前記ボディは、その正面側から装着されて正面側にハンダ付け部を有する第１のコンタクトと、背面側から装着されてその背面側にハンダ付け部を有する第２のコンタクトとを保持する請求項１に記載のフレキシブル基板用コネクタ。
【請求項５】
前記第１のコンタクトは、前記接点部と共に前記フック部を有する請求項４に記載のフレキシブル基板用コネクタ。
【請求項６】
前記第２のコンタクトは、基板端部の端子部に圧接する接点部と共に、前記アクチュエータが閉状態のときにそのアクチュエータの一部を上方から弾性的に押圧する押さえ部を有する請求項４に記載のフレキシブル基板用コネクタ。
【請求項７】
前記アクチュエータは、閉状態へ回動したときに前記ボディの背面側を覆うカバー部を有する請求項１に記載のフレキシブル基板用コネクタ。
【請求項８】
前記ボディは、その正面側から装着されて正面側にハンダ付け部を有する第１のコンタクトと、背面側から装着されてその背面側にハンダ付け部を有する第２のコンタクトとを保持し、前記アクチュエータのカバー部は、第２のコンタクトのハンダ付け部を覆う構成である請求項７に記載のフレキシブル基板用コネクタ。
【発明の詳細な説明】
【技術分野】
【０００１】
本発明は、フレキシブル基板の取付けに使用されるフレキシブル基板用コネクタに関する。
【背景技術】
【０００２】
フレキシブル基板を主基板に実装するのに従来よりフレキシブル基板用コネクタが使用されている。このコネクタは通常、フレキシブル基板の端部に形成された複数の端子部に各接触する複数のコンタクトを並列させて保持するボディと、ボディに回動可能に組み合わされたアクチュエータとからなる。ボディに保持された複数のコンタクトは、一部がハンダ付け部としてボディの外に露出しており、そのハンダ付けにより主基板と機械的、電気的に接続される。
【０００３】
アクチュエータは、開位置から閉位置への回動により、正面側から挿入されたフレキシブル基板の端部を下方へ押圧して固定する。これにより、端部の裏面に形成された複数の端子部に対して、対応するコンタクトが弾性的に接触し、フレキシブル基板がコネクタに電気的、機械的に接続される。フレキシブル基板の端部の押圧を確実にするために、複数のコンタクトに対応する複数のカム部を、アクチュエータの一種は有している（特許文献１及び２参照）。
【０００４】
【特許文献１】特許第３２９５８０８号公報
【特許文献２】特許第３５１３７５１号公報
【０００５】
このような従来のフレキシブル基板用コネクタにおいては、回動操作中のアクチュエータが脱落しやすいという問題がある。すなわち、従来コネクタにおいては、アクチュエータはボディの両側端部で軸支されるか、ボディに保持されたコンタクトの一部を利用して軸支されているが、回動操作中にアクチュエータはフレキシブル基板から大きな反力を受けるため、脱落しやすいのである。
【０００６】
また、装着接続後のフレキシブル基板に外力、特に上向き外力が付加された場合に、接点圧が低下しやすいという問題がある。すなわち、フレキシブル基板における端子部は端部裏面に形成されているため、フレキシブル基板が持ち上がると、端子部が下側の接点部から離れやすくなるのである。そして、この問題はコンタクトの一部を利用してアクチュエータを軸支する場合に特に顕著となる。なぜなら、フレキシブル基板に上向きの外力が付加された場合、そのコンタクトは上方へ容易に変形するからである。
【０００７】
更に別の問題としては、主基板への実装後、ボディの外に突出する複数のコンタクトの各ハンダ付け部に異物が付着し、短絡を発生させる危険性もある。すなわち、コンタクトはボディに対して正面側から取付けられる場合と背面側から取付けられる場合とがある。正面側から取付けられる場合はハンダ付け部がボディの正面側へ露出し、背面側から取付けられる場合はハンダ付け部が背面側へ露出する。前者の場合は、正面側から装着されるフレキシブル基板によってハンダ付け部が覆われるので、異物付着の危険性は少ない。しかし、後者の場合はフレキシブル基板の装着後もハンダ付け部が背面側に露出したままになり、異物付着による短絡の危険があるのである。
【発明の開示】
【発明が解決しようとする課題】
【０００８】
本発明はかかる事情に鑑みて創案されたものであり、回動操作中のアクチュエータの脱落を効果的に防止できるフレキシブル基板用コネクタを提供することを目的とする。
【０００９】
本発明の別の目的は、装着接続後のフレキシブル基板に上向きの外力が付加された場合も接点圧の低下を効果的に防止できる、接触安定性に優れたフレキシブル基板用コネクタを提供することにある。
【００１０】
本発明の更に別の目的は、コンタクトのハンダ付け部がボディの背面側へ突出する場合も異物付着による短絡の危険性を効果的に解消できるフレキシブル基板用コネクタを提供することにある。
【課題を解決するための手段】
【００１１】
上記目的を達成するために、本発明にかかるフレキシブル基板用コネクタは、フレキシブル基板の端部が正面側から挿入されるように構成されており、挿入された基板端部に設けられた複数の端子部に各接触する複数のコンタクトを並列させて保持するボディと、該ボディに回動可能に組み合わされると共に、ボディ内の複数のコンタクトに対応する複数のカム部を有しており、開状態から閉状態への回動により、挿入された基板端部を前記複数のカム部で押圧して、基板端部の端子部を対応するコンタクトに接触させるアクチュエータとを備えており、複数のコンタクトは、基板端部の端子部に圧接する接点部と共に、前記アクチュエータに形成された軸部を係合保持する鉤状のフック部を有しており、前記フック部はアクチュエータの正面側への移動を阻止するべく前記カム部に正面側から係合し、前記ボディはアクチュエータの背面側への移動が阻止されるように前記カム部に背面側から当接する制止部を有している。
【００１２】
前記軸部は、隣接するカム部の間に形成するのが好ましい。これにより、カム部の回動がスムーズになり、カム部の機能をより効果的に発揮させることができる。
【００１３】
本発明にかかるフレキシブル基板用コネクタにおいては、基板端部の端子部に対応する複数のコンタクトが、端子部に弾性的に接触する接点部と共に、アクチュエータの軸部に係合する鉤状のフック部を有している。このフック部による支持のため、回動操作時にアクチュエータが離脱しにくい。しかも、フック部がアクチュエータの正面側への移動を阻止するべくカム部に正面側から係合し、アクチュエータの背面側への移動が阻止されるようにカム部に背面側から当接する制止部を、ボディが有しているので、アクチュエータの離脱を阻止する効果が特に大きい。
【００１４】
前記コンタクトに関しては、正面側から挿入された基板端部の下側に接点部が位置すると共に、上側にフック部が位置し、接点部及びフック部が基部で連結一体化された構成が好ましい。この構成によれば、コネクタに接続されたフレキシブル基板に上向きの外力が付加された場合に、上側のフック部が持ち上がるが、これに伴ってした側の接点部も持ち上がる。このため、接点圧の低下が阻止される。
【００１５】
前記ボディは２種類のコンタクトを保持する構成とすることができる。すなわち、ボディの正面側から装着されて正面側にハンダ付け部を有する第１のコンタクトと、背面側から装着されてその背面側にハンダ付け部を有する第２のコンタクトとを保持する構成とすることができる。これにより、隣接するコンタクト間でのハンダ付け部の干渉を回避でき、コネクタの配列ピッチを小さくできる。
【００１６】
この場合、第１のコンタクトが接点部及びフック部を併有する構成となる。第２のコンタクトについては、基板端部の端子部に圧接する接点部と共に、アクチュエータが閉状態のときにそのアクチュエータの一部を上方から弾性的に押圧する押さえ部を有する構成が好ましい。この構成により、第２のコンタクトもフレキシブル基板の保持に寄与することが可能になる。
【００１７】
アクチュエータは又、閉状態へ回動したときにボディの背面側を覆うカバー部を有している。この構成によれば、背面側から取付けられハンダ付け部が背面側へ露出するコンタクトの場合も、ハンダ付け部がアクチュエータのカバー部で覆われ、異物付着による短絡の危険性か解消される。
【００１８】
ボディが２種類のコンタクトを保持する場合、アクチュエータのカバー部は第２のコンタクトのハンダ付け部を覆うことになる。一方、第１のコンタクトのハンダ付け部は装着されたフレキシブル基板に覆われ、異物付着による短絡が大きな問題にならないことは前述したとおりである。
【発明の効果】
【００１９】
本発明にかかるフレキシブル基板用コネクタは、基板端部の端子部に対応する複数のコンタクトが、端子部に弾性的に接触する接点部と共に、アクチュエータの軸部に係合する鉤状のフック部を有し、且つフック部がアクチュエータの正面側への移動を阻止するべくカム部に正面側から係合し、アクチュエータの背面側への移動が阻止されるようにカム部に背面側から当接する制止部をボディが有することにより、回動操作中のアクチュエータの脱落を効果的に防止できる。
【００２０】
コンタクトにおいて、正面側から挿入された基板端部の下側に接点部が位置すると共に、上側にフック部が位置し、接点部及びフック部が基部で連結一体化された構成を採用する場合は、装着接続後のフレキシブル基板に上向きの外力が付加された場合も接点圧の低下を効果的に防止できる。
【００２１】
アクチュエータが、閉状態へ回動したときにボディの背面側を覆うカバー部を有する場合は、コンタクトのハンダ付け部がボディの背面側へ突出する場合も異物付着による短絡の危険性を効果的に解消できる。
【発明を実施するための最良の形態】
【００２２】
以下に本発明の実施形態を図面に基づいて説明する。
【００２３】
図１は本発明の一実施形態にかかるフレキシブル基板用コネクタの斜視図で正面側から図示し、（ａ）はアクチュエータが開いた状態、（ｂ）はアクチュエータが閉じた状態をそれぞれ示す。図２は同フレキシブル基板用コネクタの斜視図で背面側から図示し、（ａ）はアクチュエータが開いた状態、（ｂ）はアクチュエータが閉じた状態をそれぞれ示す。図３は同フレキシブル基板用アクチュエータの分解斜視図で、アクチュエータが開いた状態を正面側から示す。
【００２４】
図４は同フレキシブル基板用コネクタのボディ及びアクチュエータを分解して示す斜視図で、アクチュエータが閉じた状態を正面側から示す。図５はボディの４面図で（ａ）は背面図、（ｂ）は平面図、（ｃ）は側面図、（ｄ）は正面図である。図６はアクチュエータの４面図であり、閉じた状態で（ａ）は背面図、（ｂ）は平面図、（ｃ）は側面図、（ｄ）は正面図である。
【００２５】
また、図７は同ボディに保持されている２種類のコンタクトの斜視図で（ａ）は第１コンタクト、（ｂ）は第２コンタクトを示す。図８は第１コンタクトの２面図で（ａ）は平面図、（ｂ）は側面図である。図９は第２コンタクトの２面図で（ａ）は平面図、（ｂ）は側面図である。図１０はアクチュエータの開閉に伴う第１コンタクトの動作を示す縦断側面で、（ａ）は開状態、（ｂ）閉状態を示す。図１１は装着されたフレキシブル基板に上向きの外力が付加された場合の第１コンタクトの動作を示す縦断側面である。図１２はアクチュエータの開閉に伴う第２コンタクトの動作を示す縦断側面で、（ａ）は開状態、（ｂ）閉状態を示す。
【００２６】
本実施形態にかかるフレキシブル基板用コネクタは、図１〜図４に示すように、多数個のコンタクトを横方向に所定間隔で並列保持する横長のボディ１０と、ボディ１０に回動可能に組み合わされており、開状態から閉状態への回動によりボディ１０との間にフレキシブル基板の端部を把持して、フレキシブル基板との電気的、機械的な接続を行う横長のアクチュエータ２０と備えており、両者はいずれも樹脂からなる。コンタクトとしては、ボディ１０に正面側から装着される第１コンタクト３０と、ボディ１０に背面側から装着される第２コンタクト４０とが使用されており、何れも金属板により構成されている。
【００２７】
ボディ１０は、図４及び図５に示すように、両側の側端部を除く部分に、断面がＬ字状の本体部１１を有している。本体部１１は、水平部上にフレキシブル基板の端部を受け入れるべく、水平部が正面側へ突出し、垂直部が上方へ突出している。ボディ１０の両側の側端部は、フレキシブル基板を両側からガイドする基板案内部１２，１２であり、更にその両側はアクチュエータ２０を開状態に保持するアクチュエータ保持部１３，１３である。
【００２８】
ボディ１０の本体部１１には、第１コンタクト３０が正面側から挿入される縦スリット状の第１挿入部１４が横幅方向に所定ピッチ（コンタクト配列ピッチの２倍のピッチ）で設けられている。第１挿入部１４は、本体部１１の水平部正面、水平部上面及び垂直部正面に開口しており、垂直部背面においても上下２段に開口している。本体部１１には又、第２コンタクト４０が背面側から挿入される縦スリット状の第２挿入部１５が、隣接する第１挿入部１４，１４の間に位置して設けられている。第２挿入部１５は、水平部上面、垂直部正面及び垂直部背面に開口している。
【００２９】
アクチュエータ２０は、図４及び図６に示すように、正面側の両側の側端部を除く部分に、横幅方向に所定間隔で並列した多数個の板状のカム部２１を有しており、その後方にカバー部２２を有している。正面側の両側の側端部は、ボディ１０の保持部１３，１３と共同してアクチュエータ２０を開状態に保持するアクチュエータ保持部２３，２３である。
【００３０】
多数個のカム部２１は、偏心した外周面をもつ略扇状の板材であって、ボディ１０の水平部と垂直部に囲まれた空間に収容されるようになっており、アクチュエータ２０の回動中心線上にあって、開状態から閉状態への回動により、ボディ１０の水平部上に載置されたフレキシブル基板の端部を上側から押圧する。ボディ１０の垂直部正面、特に第１挿入部１４と第２挿入部１５の間は、アクチュエータ２０が開状態から閉状態へ回動するときに多数個のカム部２１を背面側から支持する制止部１６になっている（図１０参照）。
【００３１】
これらのカム部２１は、隣接する２個を１グループとして組み分けされており、１グループ内の２個のカム部２１，２１は、先端部で被押圧部２５により連結されている。また隣接するグループ間では、隣接する２個のカム部２１，２１は軸部２４により連結されている。
【００３２】
軸部２４は、アクチュエータ２０の回動中心となる断面が円形の支軸であり、隣接するカム部２１，２１の回動中心部の間に設けられている。そして、この支持軸２４はボディ１０の第１挿入部１４、すなわちボディ１０に装着された第１コンタクト３０に対応する位置にある。一方、被押圧部２５はボディ１０の第２挿入部１５、すなわちボディ１０に装着された第２コンタクト４０に対応する位置にある。したがって、ボディ１０の水平部上に載置されたフレキシブル基板の端部は、多数個のカム部２１により各コンタクトの両側で押圧されることになる。
【００３３】
アクチュエータ２０のカバー部２２は、背面側へ回動した閉状態でボディ１０の前端部を除く部分を上方、両側及び背面側から覆う構造になっており、より詳しくは閉状態で天井となる天板２６、両側の側板２７，２７及び背面板となる背板２８の３部分により構成されている。そして、前述した多数個のカム部２１は、この天板２６の最前部に一体的に形成されている。
【００３４】
ボディ１０に組み込まれる第１コンタクト３０は、図７（ａ）及び図８に示すように、垂直な金属板の加工品であり、最下部に水平な保持部３１を有しており、その上にアーム状の接点部３２、更にその上にアーム状のフック部３３を有している。この第１コンタクト３０は、前述したとおり、ボディ１０の第１挿入部１４に正面側から挿入される。
【００３５】
保持部３１は、第１コンタクト３０の背面側の端部と共に、ボディ１０の第１挿入部２４内に固定される（図１０参照）。保持部３１の挿入方向後端部、すなわち正面側の端部はボディ１０の外に突出するハンダ付け部３４である。接点部３２は、背面側から正面側へ延出した略水平なアームであり、フレキシブル基板の端部裏面に形成された端子部に下方から接触する接触部を先端部に有しており、フレキシブル基板が装着されない状態でボディ１０の水平部上面から上方へ突出するようになっている。
【００３６】
第１コンタクト３０のフック部３３は、背面側から正面側へ延出する略水平なアームの先端部が上方へ略半円形状に湾曲した鉤状になっている。先端の湾曲部は、ボディ１０に組み合わされたアクチュエータ２０の隣接するカム部２１，２１間に位置し、アクチュエータ２０の軸部２４に正面側から嵌合する。
【００３７】
ここで、フック部３３の背面側の端部は、保持部３１の背面側の端部から垂直に延出した支持部３５の上端に接続されている。また、接点部３２の背面側の端部は上方へ湾曲して、支持部３５の手前でフック部３３に接続されている。すなわち、接点部３２及びフック部３３は、正面側に開放する横向きのＵ字状に形成されて、支持部３５の正面側に片支持されている。これにより、接点部３２及びフック部３３は、基部側を支点とし一体となって上下に弾性変位することが可能である。
【００３８】
第２コンタクト４０は、図７（ｂ）及び図９に示すように、垂直な金属板の加工品であり、最下部に水平な保持部４１を有しており、その上にアーム状の接点部４２、更にその上にアーム状の押さえ部４３を有している。この第２コンタクト４０は、前述したとおり、ボディ１０の第２挿入部１５に背面側から挿入される。
【００３９】
保持部４１は、第２コンタクト４０の背面側の端部と共に、ボディ１０の第２挿入部２５内に固定される（図１２参照）。保持部４１の挿入方向後端部、すなわち背面側の端部はボディ１０の外に突出するハンダ付け部４４である。接点部４２は、背面側から正面側へ延出した略水平なアームであり、フレキシブル基板の端部裏面に形成された端子部に下方から接触する接触部を先端部に有しており、フレキシブル基板が装着されない状態でボディ１０の水平部上面から上方へ突出するようになっている。
【００４０】
第２コンタクト４０の押さえ部４３は、背面側から正面側へ延出する略水平なアームであり、アクチュエータ２０の隣接するカム部２１，２１間に設けられた被押圧部２５に上側及び背面側から当接する係合部を先端部に有している。一方、押さえ部４３の背面側の端部は、保持部４１の背面側の端部から垂直に延出した支持部４５の上端に接続されている。また、接点部４２の背面側の端部は上方へ湾曲して、支持部４５の手前で押さえ部４３に接続されている。
【００４１】
すなわち、接点部４２及び押さえ部３３は、第１コンタクト３０の接点部３２及びフック部３３と同様に、正面側に開放する横向きのＵ字状に形成されて、支持部５５の正面側に片支持されており、これにより、基部側を支点とし一体となって上下に弾性変位することが可能である。
【００４２】
次に、本実施形態にかかるフレキシブル基板用コネクタの組立方法、操作方法及び機能について説明する。
【００４３】
ボディ１０へ第１コンタクト３０及び第２コンタクト４０を装着する前に、そのボディ１０に対してアクチュエータ２０を開状態に組み合わせる。このとき、ボディ１０の保持部１３，１３とアクチュエータ２０の保持部２３，２３が係合し合い、アクチュエータ２０は開状態に保持固定される。この状態で、ボディ１０の第１挿入部１４に正面側から第１コンタクト３０を挿入し、第２挿入部１５に背面側から第２コンタクト４０を挿入する。
【００４４】
第１コンタクト３０の挿入によれば、図１０（ａ）に示すように、第１コンタクト３０のフック部３３の先端部分がアクチュエータ２０の軸部２４に正面側から嵌合する。また、第２コンタクト４０の挿入によれば、図１２（ａ）に示すように、第２コンタクト４０の押さえ部４３の先端部分がアクチュエータ２０の被押圧部２５に背面側から嵌合する。かくして、アクチュエータ２０は、ボディ１０に装着された第１コンタクト３０及び第２コンタクト４０を利用して、ボディ１０に回動可能に連結される。
【００４５】
このとき、アクチュエータ２０は開状態であり、ボディ１０の水平部上にカム部２１を下にして、且つ若干の隙間をあけて起立している。この状態で、図１０（ｂ）及び図１２（ｂ）に示すように、ボディ１０の水平部とアクチュエータ２０のカム部２１との間にフレキシブル基板５０の端部を差し込み、アクチュエータ２０を背面側へ回動させる。アクチュエータ２０は軸部２４を中心にして開状態から閉状態へ回動する。その結果、フレキシブル基板１０の端部は、多数個のカム部２１により、隣接するコンタクト間で下方に押圧され、ボディ１０の水平部上面に押し付けられる。その結果、第１コンタク３０の接点部３２及び第２コンタクト４０の接点部４２は、下側へ弾性変形し、その反力により、端部裏面に形成された多数個の端子部に弾性的に接触する。かくして、フレキシブル基板５０はコネクタに電気的、機械的に接続される。
【００４６】
ここで重要なことは、アクチュエータ２０の軸部２４に第１コンタクト３０のフック部３３が係合していることである。この係合により、アクチュエータ２０の正面側への変位、下側への変位及び上側への変位が阻止される。また、カム部２１がボディ１０の制止部１６に当接することにより、背面側への変位が阻止される。これらのために、回動操作時にアクチュエータ２０が確実に支持され、脱落する危険がない。
【００４７】
アクチュエータ２０が閉状態へ回動し終わると、第２コンタクト４０の押さえ部４３がアクチュエータ２０の被押圧部４３に上側から弾性的に当接する。これも加わり、アクチュエータ２０の多数個のカム部２１は、コンタクト間でフレキシブル基板５０の端部を上側から強く押圧する。したがって、装着接続されたフレキシブル基板５０は、強固に保持され、上側への浮き上がが効果的に阻止される。
【００４８】
第２コンタクト４０のハンダ付け部４４はボディ１０の背面側に露出する。しかし、ボディ１０の背面側は、閉状態へ回動したアクチュエータ２０のカバー部２２で覆われる。このため、ハンダ付け部４４への異物付着が抑制され、異物付着による短絡の危険がない。第１コンタクト３０のハンダ付け部３４は、ボディ１０の正面側に露出するが、これらは、当該コネクタに正面側から装着されたフレキシブル基板５０に覆われるため、本質的に異物付着が少なく、異物付着による短絡の危険がない。
【００４９】
装着されたフレキシブル基板５０に上向きの強い外力が付加された場合は、やはりそのフレキシブル基板５０は浮き上がる。しかし、第１コンタクト３０の接点部３２はフック部３３と一体化されて上下に弾性変位可能になっている。このため、図１１に示すように、フレキシブル基板５０は浮き上がると、その上のカム部２１も上昇し、カム部２１と共にフック部３３が上側へ変位変形する。そうすると、下側の接点部３２もフック部３３と共に上側へ変位変形し、フレキシブル基板１０の端子部との接触を維持する。第２コンタクト４０においても、押さえ部４３の上側へ変位変形と共に下側の接点部４２も上側へ変位変形するため、フレキシブル基板１０の端子部との接触を維持する。これらのため、何れのコンタクトにおいても接点圧の低下が阻止され、接触安定性が向上する。
【図面の簡単な説明】
【００５０】
【図１】本発明の一実施形態にかかるフレキシブル基板用コネクタの斜視図で正面側から図示し、（ａ）はアクチュエータが開いた状態、（ｂ）はアクチュエータが閉じた状態をそれぞれ示す。
【図２】同フレキシブル基板用コネクタの斜視図で背面側から図示し、（ａ）はアクチュエータが開いた状態、（ｂ）はアクチュエータが閉じた状態をそれぞれ示す。
【図３】同フレキシブル基板用アクチュエータの分解斜視図で、アクチュエータが開いた状態を正面側から示す。
【図４】同フレキシブル基板用コネクタのボディ及びアクチュエータを分解して示す斜視図で、アクチュエータが閉じた状態を正面側から示す。
【図５】ボディの４面図で（ａ）は背面図、（ｂ）は平面図、（ｃ）は側面図、（ｄ）は正面図である。
【図６】アクチュエータの４面図であり、閉じた状態で（ａ）は背面図、（ｂ）は平面図、（ｃ）は側面図、（ｄ）は正面図である。
【図７】同ボディに保持されている２種類のコンタクトの斜視図で（ａ）は第１コンタクト、（ｂ）は第２コンタクトを示す。
【図８】第１コンタクトの２面図で（ａ）は平面図、（ｂ）は側面図である。
【図９】第２コンタクトの２面図で（ａ）は平面図、（ｂ）は側面図である。
【図１０】アクチュエータの開閉に伴う第１コンタクトの動作を示す縦断側面で、（ａ）は開状態、（ｂ）閉状態を示す。
【図１１】装着されたフレキシブル基板に上向きの外力が付加された場合の第１コンタクトの動作を示す縦断側面である。
【図１２】アクチュエータの開閉に伴う第２コンタクトの動作を示す縦断側面で、（ａ）は開状態、（ｂ）閉状態を示す。
【符号の説明】
【００５１】
１０  ボディ
１４  第１挿入部
１５  第２挿入部
１６  制止部
２０  アクチュエータ
２１  カム部
２２  カバー部
３０  第１コンタクト
３１  保持部
３２  接点部
３３  フック部
４０  第２コンタクト
４１  保持部
４２  接点部
４３  押さえ部
５０  フレキシブル基板
【図１】
2006236720.tif 000003
【図２】
2006236720.tif 000004
【図３】
2006236720.tif 000005
【図４】
2006236720.tif 000006
【図５】
2006236720.tif 000007
【図６】
2006236720.tif 000008
【図７】
2006236720.tif 000009
【図８】
2006236720.tif 000010
【図９】
2006236720.tif 000011
【図１０】
2006236720.tif 000012
【図１１】
2006236720.tif 000013
【図１２】
2006236720.tif 000014